(57)【要約】  ウエハー４をウエハーポケット１から便利に取り外すことができるようにするために、ウエハーポケット１が、第１の外装フィルム９および第２の外装フィルム１１で形成されることが提案されている。第１の外装フィルム９および第２の外装フィルム１１は、少なくとも１つの接続領域２を介して互いに接続され、その結果、ウエハー４を収容するのに適しており、外側に対して密封されているウエハー収容コンパートメント３が、第１の外装フィルム９と第２の外装フィルム１１との間に形成され、外装フィルム９、１１のうちの少なくとも一方は、ウエハー収容コンパートメント３の領域内に配置された脆弱領域５内で脆弱になっており、脆弱領域５を通る切り取りラインに沿って上記ウエハーポケット１を破いて開けることで、ウエハー収容コンパートメント３を開けることができる。さらに、ウエハーポケット１の外側が、美的に魅力があるのを助けるように、および必要な識別義務からなる要件を満たすように、上記脆弱領域５は、上記ウエハーポケット１の各縁部から離間している。上記切り取りラインはさらに、上記脆弱領域の外側にも部分的に通っている。
2013529159.tif 000002
【特許請求の範囲】
【請求項１】
第１および第２の外装フィルム（９，１１）で形成されたウエハーポケット（１）であって、この第１および第２の外装フィルム（９，１１）は、少なくとも１つの接続領域（２）を介して互いに接続されており、ウエハー（４）を収容するのに適していると共に、外側に対して密封されているウエハー収容コンパートメント（３）が、上記第１の外装フィルム（９）と上記第２の外装フィルム（１１）との間に形成されており、上記外装フィルム（９，１１）の少なくとも一方が、上記ウエハー収容コンパートメント（３）の領域内に設けられている脆弱領域（５）内で脆弱になっており、上記脆弱領域（５）を通る切り取りラインに沿って上記ウエハーポケット（１）を破って開けることで、上記ウエハー収容コンパートメント（３）を開けることができ、
上記脆弱領域（５）は、上記ウエハーポケット（１）の各縁部から離間しており、さらに、上記切り取りラインは、上記脆弱領域の外側に部分的に伸びていることを特徴とするウエハーポケット（１）。
【請求項２】
請求項１に記載のウエハーポケット（１）において、
上記脆弱領域は、脆弱ライン（５）の形態で、または、脆弱エリア（１２）の形態で、形成されていることを特徴とするウエハーポケット（１）。
【請求項３】
請求項１または２に記載のウエハーポケットにおいて、
上記第１の外装フィルム（９）および／または上記第２の外装フィルム（１１）は、二軸配向されていることを特徴とするウエハーポケット（１）。
【請求項４】
請求項２に記載のウエハーポケット（１）において、
上記第１および／または第２の外装フィルム（９，１１）は、上記ウエハーポケット（１）の少なくとも１つの縁部に直角な方向に配置されていることを特徴とするウエハーポケット（１）。
【請求項５】
請求項３に記載のウエハーポケット（１）において、
上記ウエハーポケット（１）の少なくとも１つの縁部には脆弱縁部（６）があり、この脆弱縁部から、上記第１の外装フィルム（９）および上記第２の外装フィルム（１１）は、破くことができることを特徴とするウエハーポケット（１）。
【請求項６】
請求項５に記載のウエハーポケット（１）において、
上記脆弱縁部は、上記ウエハーポケット（１）の少なくとも１つの縁部の切り欠き部または切断部（６）で形成されていることを特徴とするウエハーポケット（１）。
【請求項７】
請求項５または６に記載のウエハーポケット（１）において、
上記脆弱縁部は、上記接続領域（２）内に設けられていることを特徴とするウエハーポケット（１）。
【請求項８】
請求項１から７までのいずれか１つに記載のウエハーポケット（１）において、
上記脆弱領域（５）は、上記ウエハーポケット（１）が破って開けられるとき、上記切り取りラインの曲がりを引き起こすことを特徴とするウエハーポケット（１）。
【請求項９】
請求項８に記載のウエハーポケット（１）において、
上記脆弱領域は、曲がりライン（５）または曲がりエリア（１２）で形成されていると共に、この曲がりライン（５）または曲がりエリア（１２）は、実質的に互いに直角に伸びている第１の切り取りライン部（７）および第２の切り取りライン部（８）を一緒に接続していることを特徴とするウエハーポケット（１）。
【請求項１０】
請求項８に記載のウエハーポケット（１）において、
曲がりエリア（１２）は、外側境界線（１３）を有し、この外側境界線上で、上記切り取りラインは、第１の切り取りライン部（７）から第２の切り取りライン部（８）へ曲げられていることを特徴とするウエハーポケット（１）。
【請求項１１】
請求項１から９までのいずれか１つに記載のウエハーポケット（１）において、
上記脆弱領域は、曲がりライン（５）で形成され、この曲がりライン（５）は、上記ウエハー収容コンパートメント（３）の領域内に端部を有し、上記曲がりライン（５）のそれぞれの端部に対する第１および第２の接線は、互いに直角に伸び、上記第１の接線は、第１の切り取りライン部（７）を形成し、上記第２の接線は、第２の切り取りライン部（８）を形成していることを特徴とするウエハーポケット（１）。
【請求項１２】
請求項１から１１までのいずれか１つに記載のウエハーポケット（１）において、
上記脆弱領域は、曲がりライン（５）または曲がりエリア（１２）で形成され、上記曲がりライン（５）または上記曲がりエリア（１２）は、上記第１の外装フィルム（９）および／または上記第２の外装フィルム（１１）に対するレーザビームの作用で形成されているスクライビング構造（１０）であることを特徴とするウエハーポケット（１）。
【請求項１３】
請求項１から１２までのいずれか１つに記載のウエハーポケット（１）において、
曲がりライン（５）または曲がりエリア（１２）は、上記外装フィルム（９，１１）の一方のみに形成されていることを特徴とするウエハーポケット（１）。
【請求項１４】
請求項１から１３までのいずれか１つに記載のウエハーポケット（１）において、
上記ウエハーポケット（１）は、１つの辺の切り取り部（２０）に分離可能に接続されていることを特徴とするウエハーポケット（１）。
【請求項１５】
請求項１４に記載のウエハーポケット（１）において、
上記ウエハーポケット（１）は、少なくとも１つのミシン目（２１）を介して上記切り取り部（２０）に接続されていることを特徴とするウエハーポケット（１）。
【請求項１６】
請求項１から１５までのいずれか１つに記載のウエハーポケット（１）において、
上記第１の外装フィルム（９）および上記第２の外装フィルム（１１）は、それぞれ、外側に面している側に、印刷可能なポリマー層を有していることを特徴とするウエハーポケット（１）。
【請求項１７】
請求項１から１６までのいずれか１つに記載のウエハーポケット（１）において、
上記ウエハー収容コンパートメント（３）内には、ウエハー（４）があることを特徴とするウエハーポケット（１）。
【発明の詳細な説明】
【技術分野】
【０００１】
本発明は、ウエハーを収容するための、すなわち、中に少なくとも１つの活性物質が包含されているフィルムパッチを収容するための、例えば、薬剤ウエハーを収容するためのウエハーポケットに関する。特に、該ウエハーは、避妊またはホルモン補充療法を目的とする活性物質を包含し、または、該ウエハーは、例えば非医療用物質、具体的にはニコチンを含有する他の活性物質を包含する。さらに、該ウエハーは、中にフレーバリングまたは香料を包含することもできる。
【０００２】
典型的には、本発明に係るタイプのような一次的包装は、第１および第２の外装フィルムを含んでいる。この第１および第２の外装フィルムは、ウエハーを収容するのに適していると共に外部に対して密封されているウエハー収容コンパートメントが、第１の外装フィルムと第２の外装フィルムとの間に形成されるように、少なくとも１つの接続領域で接続されている。
【背景技術】
【０００３】
この種のウエハーポケットは、例えば、DE 10 2004 047 447 A1に開示されている。そこに記載されている、例えば、ウエハー状またはフィルム状薬剤用のパックは、担持層と、この担持層に離脱可能に接続されたカバー層とを有している。このパックにおいては、該担持層は、区切られた表面領域内で該カバー層に接続されておらず、その結果として、あらゆる箇所で密封されたコンパートメントが形成され、また、該表面領域は、縁部領域で完全に包囲され、該縁部領域内では、該担持層が該カバー層に離脱可能に接続されている。該コンパートメントは、該ウエハー状またはフィルム状の薬剤を収容するのに用いられる。該薬剤を取り外すために、該カバー層は、該カバー層から手で分離または破られて、該コンパートメントが開けられる。
【０００４】
しかし、この場合、各々が該コンパートメントを密封している２つの層の辺において、カバーフィルムおよび下方フィルムが、カバーフィルムを下方フィルムから剥がすことで密封を解くことができない材料で構成されていれば、下方フィルムからカバーフィルムを手で分離することは、容易には可能ではない。なぜならば、密封の結果として、２つの層は、容易に分離されない接続を形成しているからである。
【０００５】
パックの別の実施形態、この場合は、食料品のためのパックが、WO 03/103950 A1に記載されている。そこに記載されているパックは、互いに接続されている２つのフィルムを備え、それらのフィルムは、あらゆる箇所で密封された収容コンパートメントを形成し、その結果、例えば、食料をその中に閉じ込めて確実に保存することができる。該パックは、該食料品を手に取るために、破って開けることができる。このために、該フィルムをそれに沿って破り開けることのできる、集光レーザビームで形成されたスクライビング構造が、少なくとも外側で、該フィルムの一方に導入されている。
【０００６】
同様に食料品を収容するための別の実施形態が、US6,719,678 B1に記述されている。そこで開示されている袋は、縁部で、ホットシールで互いに接続されている２つのフィルム積層部を備えている。さらに、破裂防止層内に、集光レーザビームで形成されたスクライビング構造に加えて、機械的閉鎖部が、該フィルム積層部の各内側に設けられ、該袋は、破って開けられた後に、それを用いて、該スクライビング構造を介して再び閉じることができる。
【０００７】
公知の袋は、薬剤ウエハーを収容するのに適しておらず、およびこの点で、内側のフィルム層が、製品とフィルムとの間の物質交換に関して不活性であることを保障するのに適しておらず、また同時に、該薬剤ウエハーの単純で問題のない取り外しを可能にするのに適していない。WO 03/103950 A1およびUS 6,719,678 B1に記述されている、食料品を収容するための袋は、薬剤ウエハーの保存には適していない。該ウエハーポケットは、それらの文献に記述されているデザインによる薬剤ウエハーの取り外しのために、破いて開けることが可能であっても、該ウエハーのための小さな収容コンパートメントに適する寸法で形成されている場合は、該ウエハーを問題なく該収容コンパートメントから手で取外すことができないため、該ウエハーの取り外しは、その小さな厚みのために困難になるであろう。
【発明の概要】
【０００８】
この観点から、本発明は、フィルム状物体、例えば、ウエハーの確実な保存に適しており、その中に、薬剤として用いられる1つ以上の活性物質、または、薬剤として用いられない1つ以上の活性物質があり、加えて、場合により、フレーバリングまたは香料も含み、および該ウエハーまたは他のフィルム状の物体をそこから便利に取外すことができる一次的包装を見出すという目的に基づいている。また、該一次的包装は、特に、興味をそそると共に情報を提供する印刷により、ユーザにアピールする魅力的な外観も有するべきである。
【０００９】
この目的は、請求項１に記載されているウエハーポケットで実現される。本発明の好適な実施形態は、従属請求項に記述されている。
【００１０】
「ウエハー」という用語は、本願の明細書および請求項で使用されている限りにおいて、少なくとも１つの活性物質を含む平坦で柔軟な物体、または、フィルムパッチを意味することを理解すべきである。典型的には、このようなウエハーは、活性物質、または、人や動物の身体のための活性物質を含み、および投与のために、該活性物質がそこに投与される個々の身体のある箇所に接触させられるため、それらの活性物質の投与のために用いられる。例えば、ウエハーは、薬剤、特に、避妊薬またはホルモン補充療法薬または他の薬剤とすることができ、または、該ウエハーは、他の活性物質、例えば、ニコチンパッチからなる１つ以上の活性物質を含むことも可能である。加えて、該ウエハーは、他の物質、例えば、フレーバリングまたは香料を含むことも可能である。本発明の別の実施形態においては、該ウエハーは、フレーバリングのみを、例えば、甘味料および香味料を含むことも可能である。典型的には、該ウエハーは、投与中に分解する、または、該活性物質を放出するウエハー母材で構成されている。
【００１１】
本発明に係るウエハーポケットは、少なくとも１つの接続領域を介して互いに接続されている第１および第２の外装フィルムで形成されており、ウエハーを収容するのに適していると共に、外側に対して密封されているウエハー収容コンパートメントが、上記第１の外装フィルムと上記第２の外装フィルムとの間に形成されている。該接続領域において、第１および第２の外装フィルムを、圧力ばめ、フォームフィッティング、または、物質的に接続する方法、例えば、溶接、コールドシールまたはホットシール、またはその他の接着ボンディングによるもので、互いに接続することができる。該接続領域は、該ウエハー収容コンパートメントを外側から遮断して、該ウエハー収容コンパートメント内に配置された該ウエハーの品質は、外部の影響によって損なわれない。したがって、確実で、比較的長期間の保存が保障される。該外装フィルムは、典型的には、各々が、異なる特性を有し、および異なる目的を果たす複数の層を備える積層部である。原理的には、両方の外装フィルム、または、２つの外装フィルムのうちの一方のみを、単一の層のみで構成することも可能である。好ましくは、該接続領域は、あらゆる箇所で該ウエハーを密封している。
【００１２】
さらに、該外装フィルムの少なくとも一方、場合により、両方の外装フィルムは、該ウエハー収容コンパートメントの領域内に位置する脆弱領域内で脆弱になっており、脆弱領域を通る切り取りラインに沿って、該ウエハーポケットを破って開けることにより、該ウエハー収容コンパートメントを開けることができる。その結果、該ウエハーポケットは、該ウエハーを取り外すために、一方向に容易に破って開けることができる。
【００１３】
本発明に係る方法において、該脆弱領域は、該ウエハーポケットの各縁部から離間している。また、該切り取りラインは、該脆弱領域の外側も部分的に通っている。これらの方策は、該脆弱領域が、該ウエハーポケットの外側を損傷させないことを保障している。例えば、スクライビング構造は、印刷後に、常に容易に見えるように印刷することができない。該脆弱領域が、該ウエハーポケットの全幅にわたって、該ウエハーポケットの２つの縁部間に伸びている場合、その結果として、該ウエハーポケットの外部構造は、かなり損なわれるであろう。該脆弱領域の範囲を、それによって該ウエハーポケットの縁部から離間している比較的小さな領域に限定することによってのみ、第一に、美的印象が損なわれず、第二に、必要な情報の活用が該脆弱領域によって制限されないような、該ウエハーポケットの外側の概して自由なデザインを実現することが可能である。
【００１４】
該ウエハーポケットの少なくとも１つの外装フィルムは、場合によっては、両方の外装フィルムは、該ウエハー収容ポケットの領域内または曲がりエリアの領域内に伸びる曲がりラインに沿って脆弱になっていることが好適である。その結果、該ウエハー収容コンパートメントの少なくとも２つの縁部に沿って、該ウエハーポケットを破って開けることにより、該ウエハー収容コンパートメントを開けることができる。このことは、該ウエハーポケットが、例えば、該ウエハー収容ポケットの少なくとも２つの縁部に平行に破って開けられる変形例だけではなく、該切り取りラインが、それらの縁部に平行に伸びていない変形例も含む。該曲がりラインまたは曲がりエリアは、好ましくは、該ウエハーポケットが破って開けられたとき、別に不規則に伸びている切り取りラインの曲がりを引き起こす。
【００１５】
本発明の好適な実施形態において、本発明によるウエハーポケットは、ウエハーを収容できる。
【００１６】
本発明の好適な実施形態において、該脆弱領域は、脆弱ラインの形態で、または、脆弱エリアの形態で形成されている。例えば、該脆弱ラインは、外装フィルムの最上層に導入されるトレンチ状構造として形成することができる。このトレンチ状構造は、細長く、数１００μｍの幅を有することができる。この構造は、好ましくは、少なくとも５００μｍであり、特に好ましくは、幅が少なくとも１ｍｍである。最も好ましくは、該構造は、幅が少なくとも１．５ｍｍである。該構造は、例えば、特に、幅を１０ｍｍ以内にすることができる。幅が最大で５ｍｍである場合が好適であり、また、幅が最大で２．５ｍｍである場合が、特に非常に好適である。該幅に対して示されている値は、該外装フィルムの表面を基準にしている。該構造が、矩形断面は有していないが、台形または三角形の断面を有している場合、該構造の基部における幅は、示されている値よりも小さくなる。別法として、該脆弱領域は、脆弱エリア、例えば、該外装フィルムの少なくとも一方で、除去によって形成されたくぼみのようなエリアとすることができる。該エリアは、例えば、円形に形成できる。その他のエリア形状、例えば、楕円形または三角形、または他のエリア形状も同様に考えられる。該エリアは、少なくとも一方の周りに伸びる境界を有することが好適であり、その境界上で、該切り取りラインは、別の方向に曲がっている。該脆弱ラインは、該脆弱エリアとは、その細長い形状だけが異なっており、辺長比（長さ対幅）が少なくとも５、特に少なくとも１０になっている。
【００１７】
本発明のさらに好適な実施形態において、第１の外装フィルムおよび／または第２の外装フィルムは、二軸配向されている。このことは、それらの外装フィルムが、破られるときに、その破る箇所を起点とする直線状の切り取りラインを形成する状況を実現する。このようにして形成されたフィルムは、２つの相互に直交する方向における好適な切り取りラインを形成し、実質的に直線状の切り取りラインを形成できる。
【００１８】
本発明のさらに好適な実施形態において、第１のおよび／または第２の外装フィルムは、該ウエハーポケットの少なくとも１つの縁部に対して直角な方向に配置されている。その結果として、該ウエハーポケットは、該ウエハーポケットの１つの縁部または複数の縁部に対して直角な方向で直線的に破いて開けることができる。
【００１９】
本発明のさらに好適な実施形態においては、該ウエハーポケットの少なくとも１つの縁部には、それぞれの脆弱縁部があり、第１および第２の外装フィルムは、該脆弱縁部から破いて開けることができる。したがって、該ウエハーポケットは、該ポケットの縁部のある箇所で明確に破くことができる。
【００２０】
本発明のさらに好適な実施形態において、該脆弱縁部は、それぞれ、該ウエハーポケットの少なくとも１つの縁部の切り欠き部または切断部で形成されている。この切り欠き部またはこの切断部を介して、該外装フィルムを便利に引裂くことができる。その結果が、該切り取りラインのための起点である。該切り取りラインの方向は、典型的には、該切り欠き部または該切断部から始まる、製造条件からの好適な方向として生じる。原理的には、該ウエハーポケットの縁部のそのような単一の切り欠き部またはそのような単一の切断部は、該ウエハーポケットを開けるのに十分である。しかし、ユーザに、彼または彼女が該ウエハーポケットをそこから破いて開けることを望む該縁部に関して選択肢を残すために、そのような切り欠き部または切断部を、該ウエハーポケットの（隣接する）両縁部に設けることができる。
【００２１】
本発明のさらに好適な実施形態において、該脆弱縁部は、該接続領域内に設けられ、該ウエハーのための収容コンパートメントは、外側への接続部がなく、また、それに伴って、該ウエハーが、該収容コンパートメント内で密封される。
【００２２】
該ウエハーポケットは、開封時に、切り取りラインに沿って破り開かれる。その曲がりラインまたは曲がりエリアは、該切り取りラインの方向に影響を及ぼし、それにより、該切り取りラインは、該曲がりラインに沿って、または該曲がりエリア内で、特に、該曲がり領域の境界線に沿って方向を変える。これは、この領域において、該曲がりラインまたは曲がりエリアを有する該外装フィルムの材料が脆弱になっているか、または、実質的に完全に除去されているためである。該曲がりラインは、破って開けられるときに方向を変えるトラックを形成する。同様の方法においては、該曲がりエリアの境界線の１つにおいてトラックを形成し、該切り取りラインは、該トラックに沿って方向を変える。その結果として、該収容コンパートメントは、少なくとも２つの（隣接する）辺で開けることができる。このことは、ユーザが該ウエハーポケットを大きく開いて、該ウエハーに手を伸ばしてそれを容易に取り出すことを可能にする。
【００２３】
一方、該ウエハーポケットが、例えば、US6,719,678 B1に記載されているように、一方の辺のみで開けるようになっている場合、該収容ポケットの開口部は、非常に狭くなり、その結果、指で該ウエハーを辛うじてつかむことができる。この場合、該ウエハーの取出しは、極めて困難になるであろう。少なくとも２つの辺部の収容コンパートメントを開けることによってのみ、該ウエハーを容易につかむことができる。なぜなら、少なくとも、該曲がりラインに沿って、または該曲がりエリア内で該外装フィルムに施されたフィルム脆弱部に沿って破られている該外装フィルムは、該ウエハーポケットに収容されているウエハーに対して後退され、また、該ウエハーの少なくとも一方の縁部は、露出させることができ、または、少なくとも容易に曲げることができ、該ウエハーを容易につかむことができる。
【００２４】
本発明の一実施形態によれば、上記曲がりラインまたは曲がりエリアを、２つの外装フィルムの一方のみに設けることができ、この外装フィルムのみが、該切り取りラインの方向を変えるときに破れる。この場合、他方の外装フィルムは、方向を変えることなく破ることができる。なぜなら、この外装フィルムには、材料が脆弱になっている曲がりラインがないからである。したがって、該外装フィルムが、そこで該曲がりラインに沿って、または該曲がりエリア内で脆弱になっている側でのみ開けられ、該ウエハー収容コンパートメントは、「対角線状に」破られる。それにもかかわらず、この場合、該ウエハーは、非常に簡単に取外すことができる。なぜならば、該ウエハーは、該曲がりラインに沿って、または、該曲がりエリア内で脆弱になっている該外装フィルムが該ウエハーポケットを破る側に部分的に露出されているからである。または、該ウエハー収容コンパートメントは、容易に裏返すことができるからである。その結果、該ウエハーを便利につかむことができる。
【００２５】
当然、その中で該外装フィルムが脆弱にされる曲がりライン、または、その境界に沿って、該外装フィルムが容易に破れる曲がりエリアが、本発明の別の実施形態にしたがって、両方の外装フィルムに設けられている場合には、該ウエハーを該ウエハーポケットから便利に取り外すこともできる。この場合、両外装フィルムの曲がりラインまたは曲がりエリアが、該ウエハーポケット上で、互いに一致して設けられていれば、有利であり、その結果、両外装フィルムは、互いに一致する切り取りライン上で破って開ける。しかし、例えば、過剰な高熱にさらすことによって、２つの外装フィルムを互いに接着することは避けるべきである。この場合、該ウエハーを容易に取り外す機能のためには、２つの外装フィルムの曲がりラインまたは曲がり領域が、正確には互いに一致していないが、例えば、数ミリ、例えば、２〜５ｍｍの距離で実質的に互いに一致していることで十分であり、２つの曲がりラインは、必ずしも互いに平行に伸びている必要はなく、または、曲がりエリアは、必ずしも互いに直接重ねて設ける必要はない。その結果、該切り取りラインのそれぞれの方向変化を引き起こす該曲がり領域の境界線は、互いに平行に伸びない。どのような場合でも、破いた後に、少なくとも一方のフィルムを指または突出部でつかめるように、または、該ウエハーを、少なくとも、単純に該外装フィルムを裏返すことによってつかめるように、該曲がりラインまたは曲がりエリアに施されていれば、有利であろう。
【００２６】
本発明の好適な実施形態において、該曲がりラインまたは曲がりエリアは、第１の好ましくは直線状の切り取りライン部と、第２の好ましくは直線状の切り取りライン部を互いに接続しており、この接続部が、好ましくは、湾曲されることが可能である。この実施形態による該曲がりラインまたは曲がりエリアは、例えば、約９０°の第１の切り取りライン部の方向変化を、または、９０°より小さいまたは９０°より大きい方向の変化を引き起こすことが可能である。該切り取りラインは、該切り取りラインが破れたときの最初の破れ方向に対して、９０°回転されることが好適である。その結果、上記第１の切り取りライン部と、上記第２の切り取りライン部とが生じる。この実施形態に係る上記２つの切り取りラインは、各々が、直線を形成し、および好ましくは湾曲した曲がりラインに沿って、または、該曲がりエリアの好ましくは湾曲した境界線に沿って、実質的にまたは正確に、互いに直角に伸びており、該外装フィルムまたは２つの外装フィルムは、それに沿って破れる。該切り取りラインが該曲がりエリアで曲げられる場合は、該曲がりエリアは、該切り取りラインが、その上で、第１の切り取りライン部から第２の切り取りライン部へ曲げられる外側境界線を有している。これは、該外装フィルムが破られるときに、該切り取りラインが、該外側境界線に達するまでは一方向に進むように、該曲がりエリア内では、この曲がりエリアが設けられている該外装フィルムが脆弱になっているためである。その結果、該切り取りラインは、該境界線が伸びる方向に曲げられる。当然、該切り取りラインが、該曲がりエリアに達したときに、既に該外側境界線に接線方向で接触している場合は、上記切り取りラインも、さらにこの境界線に沿って伸びている。
【００２７】
特に好適な実施形態においては、該曲がりラインは、空洞の領域内に設けられた端部を有し、該曲がりラインのそれぞれの端部に対する第１および第２の接線は、互いに直角に伸び、該第１の切り取りライン部は、第１の接線に沿って伸び、第２の切り取りライン部は、第２の接線に沿って伸びている。その結果として、その切り取り中に形成された第１の好ましくは直線状の切り取りラインは、さらなる方向変化を伴わずに、該曲がりラインの好ましくは湾曲したコース内に伸び、そこから、さらなる方向変化を伴わずに、第１の切り取りラインと直角に伸び、そしてもう一度、好ましくは直線状に伸びている第２の切り取りラインと合流している。
【００２８】
本発明のさらに好適な実施形態において、２つの切り取りラインのうちの少なくとも一方は、脆弱縁部、例えば、該ウエハーポケットの縁部の切り欠き部または切断部によって画定されている。
【００２９】
該曲がりラインを通じて、または、該曲がりエリアの領域内に形成された該外装フィルムまたは外装フィルムの材料の脆弱化は、該外装材料または複数の外装材料における1つ以上のスクライビング構造の形態で行われており、その中で、好ましくは、集光レーザビームは、第１および／または第２の外装フィルムに向けられている（レーザビームによる切り欠き）。該外装フィルムに対するレーザビームの作用の結果として、該外装フィルムの最上層または複数の最上層の材料は、蒸発され、または別の方法で、例えば、分解の結果として除去され、その結果、該曲がりラインに沿った、または、該曲がり領域内での該最上層の材料の薄層化が起きる。この目的のためには、レーザビームと、該外装フィルムの上部材料との間の十分な相互作用が必要である。この種の方法は、例えば、WO03/103950 A1で詳細に説明されている。
【００３０】
該外装フィルムの１つの構成要素、例えば、該外装フィルムの外側層のみが、少なくとも部分的に除去されれば、有利である。同様に、単一の外装フィルムのみの脆弱部は、曲がりラインに沿って、または、曲がりエリア内に形成することが可能である。あるいは、両方の外装フィルムの脆弱部は、曲がりラインに沿って、または、曲がりエリアの領域内に形成することが可能である。
【００３１】
本発明のさらに好適な実施形態において、該ウエハーポケットは、一方の側の１以上の切り取り部に分離可能に接続されている。該切り取り部または複数の切り取り部は、該ウエハーポケットから分離することができる。該切り取り部または複数の切り取り部を介して、該ウエハーポケットは、該切り取り部または複数の切り取り部が、第２のパックにしっかり保持されることにより、第２のパックに積層状に収容することができる。該切り取り部または複数の切り取り部を、例えば、切取られることで、それぞれのウエハーポケットから分離できるということは、該ウエハーポケットを第２のパックから単独で取り出すことができることを意味する。それぞれのウエハーポケットを、対応する切り取り部から分離する機能は、例えば、いずれの場合においても、少なくとも１つのミシン目で実施することができる。
【００３２】
本発明のさらに好適な実施形態において、該切り取り部は、第２のパック内の保持モジュール内に収容できるように形成することができる。例えば、該保持モジュールは、該切り取り部を部分的に包囲することができる。その結果、該切り取り部は、例えば、該ミシン目を有するそれぞれの接続領域のみを介して該ウエハーポケットに接続されている。別の方法として、切開部を通る保持要素を収容するために、互いに位置合わせされた該切開部を、該切り取り部内に設けることができる。これらの実施形態の各々を用いることにより、該ウエハーポケットは、第２のパック内に保持されている。
【００３３】
第１および第２の外装フィルムは、互いに接続された層からなる層複合材料から形成されていることが特に好適である。この層複合材料は、それぞれのフィルムの該ウエハーとの適合性、例えば、開封時の該ウエハーポケットの取扱い性、例えば、外面印刷のための外面構造、および薬剤に固有のさらなる要件に関して、層複合材料の最適な構造を実現している。
【００３４】
本発明の特に好適な実施形態においては、該ウエハーに接触する側の第１および第２の外装フィルムは、該ウエハーの活性物質または複数の活性物質に対して不活性である該材料で被覆されており、このことは、該活性物質が、この材料を貫通したり、この材料内に浸透したりしないことを意味している。この材料は、好ましくは、Barex（登録商標）、すなわち、アクリロニトリル・メタクリル酸塩共重合体であり、これは、例えば、層の形態で内側に設けられている。その結果、該外装フィルムの不活性層は、該ウエハーのための空洞に面している。したがって、第１および第２の外装フィルムの、該ウエハーの活性物質に対する化学的不活性が、実質的に実現されている。
【００３５】
さらに、第１および第２の外装フィルムは、該ウエハーポケットに印刷できるように、外側に面する側に、印刷可能なポリマー層をそれぞれ有することができる。第１および第２の外装フィルムの該印刷可能なポリマー層は、特に、ポリエチレン・テレフタレートで構成することができる。
【００３６】
第１および第２の外装フィルムの該不活性層および該印刷可能なポリマー層は、それぞれのアルミニウムフィルムを介して、互いに有利に接続することができる。これらのアルミニウムフィルムは、防湿層として作用する。
【図面の簡単な説明】
【００３７】
以下で説明する図面は、本発明をさらに説明するのに役に立つ。
【図１】図１は、第１の実施形態において、ウエハーがその中に収容されている状態の本発明に係るウエハーポケットを概略平面図で示している。
【図２】図２は、ウエハーがその中に収容されている状態の本発明に係るウエハーポケットを概略断面図で示している。
【図３】図３は、第２の実施形態において、ウエハーがその中に収容されている状態の本発明に係るウエハーポケットを概略平面図で示している。
【図４】図４は、第３の実施形態において、ウエハーがその中に収容されている状態の本発明に係るウエハーポケットを概略平面図で示している。
【００３８】
図面において、同一の符号は、同一の要素を示している。
【００３９】
図１に示すウエハーポケット１は、矩形状であり、一方の側で、切り取り部２０に分離可能に接続されている。そして、この場合には、２つのミシン目部２１と、４つの切断部２２が設けられている。
【００４０】
ウエハーポケット１は、２つの外装フィルム９，１１（図２）を備え、図１には、上方の外装フィルム９のみが見える。これらの２つの外装フィルムは、例えば、ホットシールで、接続領域２を介して互いに接続されている。接続領域２は、ウエハーポケット１の縁部に沿って全ての側部に延在すると共に、ウエハー収容チャンバ３を囲んでいる。したがって、このウエハー収容チャンバ３は、外部から密封されている。ウエハー収容チャンバ３内には、ウエハー４がある。
【００４１】
上方外装フィルム９および下方外装フィルム１１には、切り欠き部１０が、レーザ除去による曲がりライン５に沿って形成されている（図２）。このことは、例えば、曲がりライン５に沿って、例えば、上方外装フィルム９の外側に、および下方外装フィルム１１の外側に、切り欠き部１０が形成されていることを意味する。それらの切り欠き部は、少なくとも該外装フィルムの表面に、少なくとも０．１ｍｍの幅を有している。該切り欠き部は、非常に短く、該ウエハーポケットの縁部から離間している。その結果として、それらの切り欠き部は、実質的に、該外装フィルムの外側を損なわない。該外装フィルムの外側には、印刷するために利用可能な十分に大きな領域がある。
【００４２】
切り欠き部１０に沿って、上方外装フィルム９および下方外装フィルム１１の材料は、脆弱になっており、ウエハーポケット１が開けられるときに、該外装フィルムが切り欠き部１０に沿って破られる。ウエハーポケット１を開けるために、外装フィルム９，１１は、まず切断部６から切り取られ、その結果が、直線状に伸びる第１の切り取りライン部７である。この第１の切り取りライン部７は、その後、曲がりライン５に達して、その結果、該切り取りラインの方向は、９０°（左側へ）旋回される。ウエハーポケット１の開封のさらなる過程において、該切り取りラインはさらに、符号８で指定されているさらなるコース（第２の切り取りライン部）をたどる。その結果として、ウエハー収容チャンバ３は、２つの縁部の箇所で開けられ、その結果、ウエハー４を指で便利につかんで取り出すことができる。
【００４３】
ウエハーポケット１は、必要に応じて、切り取り部２０が切り取られる。その結果、切り取り部２０は第２のパックに残され、一方、ウエハー４を取り外すために、ウエハーポケット１を破いて開けることができる。
【００４４】
本発明の第２の実施形態においては、曲がりライン５は、ウエハーポケット１のほぼ縁部を起点として曲線状に伸びている（図３）。
【００４５】
本発明の第３の実施形態においては、外装フィルム９，１１の両方に曲がり領域１２がある（図４には、後者のフィルムは図示されていない）。この曲がり領域は、円形である。外装フィルム９，１１の材料は、該曲がり領域内でのレーザ除去で、その表面が薄層化されている。該曲がり領域は、境界ライン１３を有しており、そのラインは、一方の側部で、切り取りライン部７，８において、接線方向で終わっている。ウエハーポケット１が、切断部６から破られて開けられると、該切り取りラインは、該曲がり領域の外側境界線において接線方向で該曲がり領域に達する。該外装フィルムの薄層化されていない材料は、さらなる切り取りに対する抵抗が強いため、該外装フィルムは、該境界線に沿って破れ、その結果、該切り取りラインの方向は、９０°旋回される。該外装フィルムの材料は、さらに縁部に対して直角である、互いに直交して位置合わせされた２つの切り取り方向が生じるように、好ましくは、少なくとも部分的に二軸配向密封フィルムで構成されている。その結果として、該切り取りラインは、第１の切り取りライン部に対して９０°の角度で位置合わせされた第２の切り取りライン部に、該曲がり領域を残している。したがって、この場合にも、該ウエハーポケットは、２つの縁部に平行に破いて開けることができ、その結果、ウエハー収容チャンバ３からウエハー４を便利に取り外すことができる。
【図１】
2013529159.tif 000003
【図２】
2013529159.tif 000004
【図３】
2013529159.tif 000005
【図４】
2013529159.tif 000006
【国際調査報告】
2013529159.tif 000007
2013529159.tif 000008
2013529159.tif 000009
2013529159.tif 000010
2013529159.tif 000011
2013529159.tif 000012